(57)【特許請求の範囲】
【請求項１】
バックライトと、
前記バックライトから照射される光を透過することにより、画像を表示する液晶パネルと、
フレーム毎に、前記バックライトの点灯期間として、長さが２種類以上ある複数の期間を設定する設定手段と、
を有し、
前記設定手段は、
前記液晶パネルの垂直駆動周波数が第１の周波数である場合に、１フレーム内の複数の点灯期間として、前記垂直駆動周波数が前記第１の周波数よりも高い第２の周波数である場合よりも多い点灯期間を設定するものであり、
１フレーム内の点灯期間の間隔が、該フレーム内の最後の点灯期間の終了時刻から、該フレームの終了時刻までの時間よりも短くなるように、点灯期間を設定する
ことを特徴とする液晶表示装置。
【請求項２】
バックライトと、
前記バックライトから照射される光を透過することにより、画像を表示する液晶パネルと、
フレーム毎に、前記バックライトの点灯期間として、長さが２種類以上ある複数の期間を設定する設定手段と、
を有し、
前記設定手段は、
前記液晶パネルの垂直駆動周波数が第１の周波数である場合に、１フレーム内の複数の点灯期間として、前記垂直駆動周波数が前記第１の周波数よりも高い第２の周波数である場合よりも多い点灯期間を設定するものであり、
１フレーム内に３つ以上の点灯期間を設定する際に、該フレームの中心時刻に近いほど点灯期間の長さが長くなるように、点灯期間を設定する
ことを特徴とする液晶表示装置。
【請求項３】
バックライトと、
前記バックライトから照射される光を透過することにより、画像を表示する液晶パネルと、
フレーム毎に、前記バックライトの点灯期間として、長さが２種類以上ある複数の期間を設定する設定手段と、
を有し、
前記設定手段は、
入力画像データのフレームレートが第１のフレームレートである場合に、１フレーム内の複数の点灯期間として、前記フレームレートが前記第１のフレームレートよりも高い第２のフレームレートである場合よりも多い点灯期間を設定するものであり、
１フレーム内の点灯期間の間隔が、該フレーム内の最後の点灯期間の終了時刻から、該フレームの終了時刻までの時間よりも短くなるように、点灯期間を設定する
ことを特徴とする液晶表示装置。
【請求項４】
バックライトと、
前記バックライトから照射される光を透過することにより、画像を表示する液晶パネルと、
フレーム毎に、前記バックライトの点灯期間として、長さが２種類以上ある複数の期間を設定する設定手段と、
を有し、
前記設定手段は、
入力画像データのフレームレートが第１のフレームレートである場合に、１フレーム内の複数の点灯期間として、前記フレームレートが前記第１のフレームレートよりも高い第２のフレームレートである場合よりも多い点灯期間を設定するものであり、
１フレーム内に３つ以上の点灯期間を設定する際に、該フレームの中心時刻に近いほど点灯期間の長さが長くなるように、点灯期間を設定する
ことを特徴とする液晶表示装置。
【請求項５】
前記設定手段は、１フレーム内に３つ以上の点灯期間を設定する際に、該フレームの中心時刻に近いほど点灯期間の長さが長くなるように、点灯期間を設定する
ことを特徴とする請求項１に記載の液晶表示装置。
【請求項６】
前記設定手段は、１フレーム内に３つ以上の点灯期間を設定する際に、該フレームの中心時刻に近いほど点灯期間の長さが長くなるように、点灯期間を設定する
ことを特徴とする請求項３に記載の液晶表示装置。
【請求項７】
前記第２の周波数は、６０Ｈｚである
ことを特徴とする請求項１、２、または、５に記載の液晶表示装置。
【請求項８】
前記第１の周波数は、４８Ｈｚと５０Ｈｚを含む
ことを特徴とする請求項１、２、５、または、７に記載の液晶表示装置。
【請求項９】
前記第２のフレームレートは、６０Ｈｚである
ことを特徴とする請求項３、４、または、６に記載の液晶表示装置。
【請求項１０】
前記設定手段は、１フレーム内に３つ以上の点灯期間を設定する際に、該フレーム内の点灯期間の間隔が互いに異なる長さとなるように、点灯期間を設定する
ことを特徴とする請求項１〜９のいずれか１項に記載の液晶表示装置。
【請求項１１】
前記設定手段は、前記液晶パネルに表示される画像の明るさが明るい場合に、１フレーム内の複数の点灯期間として、前記明るさが暗い場合よりも多い点灯期間を設定する
ことを特徴とする請求項１〜１０のいずれか１項に記載の液晶表示装置。
【請求項１２】
前記バックライトの明るさは変更可能であり、
前記設定手段は、前記バックライトの明るさを前記液晶パネルに表示される画像の明るさとして用いて、点灯期間を設定する
ことを特徴とする請求項１１に記載の液晶表示装置。
【請求項１３】
前記設定手段は、１フレーム内に３つ以上の点灯期間を設定する際に、該フレーム内の点灯期間の間隔が徐々に短くなるように、点灯期間を設定する
ことを特徴とする請求項１〜１２のいずれか１項に記載の液晶表示装置。
【請求項１４】
前記設定手段は、１フレーム内に３つ以上の点灯期間を設定する際に、該フレーム内の点灯期間の間隔が徐々に長くなるように、点灯期間を設定する
ことを特徴とする請求項１〜１２のいずれか１項に記載の液晶表示装置。
【請求項１５】
前記設定手段は、
フレーム間の画像の動き量が大きい場合に、前記動き量が小さい場合よりも、１フレーム内の点灯期間の間隔が短くなり、
前記動き量が小さい場合に、前記動き量が大きい場合よりも、前記バックライトを消灯する期間である消灯期間の長さがより均一になるように、
点灯期間を設定する
ことを特徴とする請求項１〜１４のいずれか１項に記載の液晶表示装置。
【請求項１６】
前記設定手段は、フレーム間の画像の動き量が大きい場合に、前記動き量が小さい場合よりも、１フレーム内の点灯期間の長さの差がより大きくなるように、点灯期間を設定する
ことを特徴とする請求項１〜１５のいずれか１項に記載の液晶表示装置。
【請求項１７】
前記バックライトは、画面の領域を構成する複数の分割領域のそれぞれについて点灯及び消灯を個別に制御可能な構成を有し、
前記設定手段は、前記分割領域毎に点灯期間を設定する
ことを特徴とする請求項１〜１６のいずれか１項に記載の液晶表示装置。
【請求項１８】
バックライトと、前記バックライトから照射される光を透過することにより、画像を表示する液晶パネルと、を有する液晶表示装置の制御方法であって、
フレーム毎に、前記バックライトの点灯期間として、長さが２種類以上ある複数の期間を設定するステップ、を有し、
前記点灯期間を設定するステップは、前記液晶パネルの垂直駆動周波数が第１の周波数である場合に、１フレーム内の複数の点灯期間として、前記垂直駆動周波数が前記第１の周波数よりも高い第２の周波数である場合よりも多い点灯期間を設定するステップであり、
前記点灯期間を設定するステップでは、１フレーム内の点灯期間の間隔が、該フレーム内の最後の点灯期間の終了時刻から、該フレームの終了時刻までの時間よりも短くなるように、点灯期間が設定される
ことを特徴とする液晶表示装置の制御方法。
【請求項１９】
バックライトと、前記バックライトから照射される光を透過することにより、画像を表示する液晶パネルと、を有する液晶表示装置の制御方法であって、
フレーム毎に、前記バックライトの点灯期間として、長さが２種類以上ある複数の期間を設定するステップ、を有し、
前記点灯期間を設定するステップは、前記液晶パネルの垂直駆動周波数が第１の周波数である場合に、１フレーム内の複数の点灯期間として、前記垂直駆動周波数が前記第１の周波数よりも高い第２の周波数である場合よりも多い点灯期間を設定するステップであり、
前記点灯期間を設定するステップでは、１フレーム内に３つ以上の点灯期間が設定される際に、該フレームの中心時刻に近いほど点灯期間の長さが長くなるように、点灯期間が設定される
ことを特徴とする液晶表示装置の制御方法。
【請求項２０】
バックライトと、前記バックライトから照射される光を透過することにより、画像を表示する液晶パネルと、を有する液晶表示装置の制御方法であって、
フレーム毎に、前記バックライトの点灯期間として、長さが２種類以上ある複数の期間を設定するステップ、を有し、
前記点灯期間を設定するステップは、入力画像データのフレームレートが第１のフレームレートである場合に、１フレーム内の複数の点灯期間として、前記フレームレートが前記第１のフレームレートよりも高い第２のフレームレートである場合よりも多い点灯期間を設定するステップであり、
前記点灯期間を設定するステップでは、１フレーム内の点灯期間の間隔が、該フレーム内の最後の点灯期間の終了時刻から、該フレームの終了時刻までの時間よりも短くなるように、点灯期間が設定される
ことを特徴とする液晶表示装置の制御方法。
【請求項２１】
バックライトと、前記バックライトから照射される光を透過することにより、画像を表示する液晶パネルと、を有する液晶表示装置の制御方法であって、
フレーム毎に、前記バックライトの点灯期間として、長さが２種類以上ある複数の期間を設定するステップ、を有し、
前記点灯期間を設定するステップは、入力画像データのフレームレートが第１のフレームレートである場合に、１フレーム内の複数の点灯期間として、前記フレームレートが前記第１のフレームレートよりも高い第２のフレームレートである場合よりも多い点灯期間を設定するステップであり、
前記点灯期間を設定するステップでは、１フレーム内に３つ以上の点灯期間が設定される際に、該フレームの中心時刻に近いほど点灯期間の長さが長くなるように、点灯期間が設定される
ことを特徴とする液晶表示装置の制御方法。
【発明の詳細な説明】
【技術分野】
【０００１】
本発明は、液晶表示装置及びその制御方法に関する。
【背景技術】
【０００２】
液晶表示装置（液晶ディスプレイ）等のホールド型発光の表示装置では、動画を表示させた場合に、移動物体が尾引きをしたような表示となる「動画ぼけ」が生じる。
液晶表示装置の動画ぼけを改善するための技術として、バックライト（ＢＬ）をインパルス型発光させるＢＬスキャン（フレーム間に黒画像を表示する黒挿入）がある。例えば、マトリクス状に配置された複数のＬＥＤ（光源）を有するバックライトを駆動する際に、画面の上側から下側へ向かってＢＬライン（複数のＬＥＤによって形成されるマトリクスのライン）毎に、順にＬＥＤを点灯させ、順にＬＥＤを消灯させる技術がある。このようなＢＬスキャンを１フレームに一回だけしか行わないと、フリッカ妨害が発生してしまう。
このフリッカ妨害を低減するための従来技術は、例えば、特許文献１，２に開示されている。具体的には、特許文献１，２に開示の技術では、バックライトを１フレームに複数回点灯させる制御が行われる。さらに特許文献２に開示の技術では、フレーム毎に異なるタイミングで、バックライトが点灯される。
【０００３】
しかしながら、特許文献１，２などに開示の技術を用いた場合、物体の輪郭が多重に見える重像ぼけが生じてしまう。以下、動画ぼけと重像ぼけについて説明する。
【０００４】
まず、動画ぼけについて図１６を用いて説明する。図１６は、ＢＬスキャンを行わずに、画面上を左から右に移動する物体の画像を表示した場合に発生する妨害（動画ぼけ）の
一例を示す模式図である。
図１６（ａ）は、期間ｔ１，ｔ２，ｔ３の３つのフレームの液晶ラインＡ（複数の液晶素子によって形成されるマトリクスのライン）の入力画像信号（液晶表示装置に入力された画像信号）の一例を示す図である。図１６（ａ）は、暗い背景Ｂ上を明るい物体Ｏが画面の左側から右側に向かって動く画像信号の例を示している。
図１６（ｂ）は、期間ｔ３での液晶ラインＡの液晶素子の透過率の一例を示す図である。図１６（ｂ）の縦軸は透過率を示し、横軸は空間位置（液晶素子の水平方向（左右方向）の位置）を示す。透過率は画像の輝度に対応する。
図１６（ｃ）は、入力画像信号の垂直同期信号の一例を示す図である。期間ｔ１，ｔ２，ｔ３はそれぞれ１フレーム期間であり、垂直同期信号は１フレーム期間毎に１回入力される。
図１６（ｄ）は、バックライト（液晶ラインＡに対応するバックライト）の点灯状態の一例を示す図である。図１６（ｄ）の縦軸は時間を示し、横軸は各時刻におけるバックライトの輝度（瞬時値；瞬間輝度）を示す。図１６（ｄ）の例では、バックライトの瞬間輝度が常に１とされている。
図１６（ｅ）は、上述した期間ｔ１，ｔ２，ｔ３の３つのフレームの液晶ラインＡの表示画像（画面上に表示された画像）の一例を示す図である。図１６（ｅ）の縦軸は時間を示し、横軸は空間位置を示す。図１６（ｅ）の例では、バックライトが常に点灯されているため（図１６（ｄ））、入力画像信号に基づく画像が常に表示されている。なお、図１６（ｅ）では、物体Ｏの領域のみを示し、背景Ｂの領域は省略している。
図１６（ｆ）は、視聴者（ユーザ）が物体Ｏの動きを目で追った場合に、視聴者の目の網膜に入力される輝度の積分値、即ち視聴者が知覚する画像（液晶ラインＡの画像）の一例を示す図である。
図１６（ｇ）は、図１６（ｆ）の積分値の分布（輝度分布）を示す図である。図１６（ｂ）と図１６（ｇ）を比べると、図１６（ｂ）では物体Ｏの縁部の輝度の変化が急峻なのに対し、図１６（ｇ）では物体Ｏの縁部１５０１の輝度の変化が緩やかとなっている。これは、物体Ｏの縁部にぼやけ（動画ぼけ）が発生していることを意味する。
【０００５】
次に、重像ぼけについて図１７を用いて説明する。図１７は、特許文献１や特許文献２に開示のＢＬスキャンを行って、画面上を左から右に移動する物体の画像を表示した場合に発生する妨害（動画ぼけ、重像ぼけ）の一例を示す模式図である。
図１７（ａ）〜１７（ｃ）は、図１６（ａ）〜１６（ｃ）と同じである。
図１７（ｄ）は、バックライト（液晶ラインＡに対応するバックライト）の点灯状態の一例を示す図である。図１７（ｄ）の縦軸は時間を示し、横軸は各時刻におけるバックライトの瞬間輝度を示す。図１７（ｄ）の例では、１フレーム内のバックライトの点灯期間として、２つの点灯期間が設定されている。なお、各点灯期間のバックライトの瞬間輝度は２とされている。これは、１フレームのバックライトの総発光量を維持するためである。
図１７（ｅ）は、期間ｔ１，ｔ２，ｔ３の３つのフレームの液晶ラインＡの表示画像の一例を示す図である。図１７（ｅ）の縦軸は時間を示し、横軸は空間位置を示す。図１７（ｅ）の例では、バックライトの点灯期間に入力画像信号に基づく画像（但し、画像の輝度は図１６（ｅ）よりも高い）が表示され、バックライトの非点灯期間（消灯期間）に黒画像が表示されている。即ち、入力画像信号に基づく画像と黒画像とが交互に表示されている。なお、図１７（ｅ）では、物体Ｏの領域のみを示し、背景Ｂの領域は省略している。
図１７（ｆ）は、視聴者が物体Ｏの動きを目で追った場合に、視聴者の目の網膜に入力される輝度の積分値、即ち視聴者が知覚する画像（液晶ラインＡの画像）の一例を示す図である。
図１７（ｇ）は、図１７（ｆ）の積分値の分布（輝度分布）を示す図である。図１７（ｇ）の物体Ｏの縁部１６０１の輝度の変化は、図１６（ｇ）よりも急峻となっている。これは、物体Ｏの縁部のぼやけ（動画ぼけ）が改善していることを意味する。しかし、図１７（ｇ）の例では、縁部１６０１の輝度の変化の中に、輝度が一定の領域である平坦部１６０２が含まれている。平坦部１６０２の輝度は、背景Ｂの輝度と物体Ｏの輝度との略中間の値である。このような平坦部は、重像ぼけをもたらす。
【０００６】
このように、特許文献１や特許文献２に開示のＢＬスキャンを行うだけでは、フリッカ妨害や動画ぼけを低減することはできても、重像ぼけが発生してしまう。
このような重像ぼけを低減するための従来技術は、例えば、特許文献３に開示されている。具体的には、特許文献３に開示の技術では、１フレームに１回発せられるパルス信号とフレーム周波数より高い周波数で発せられるパルス信号との論理和が点灯信号（バックライトの駆動信号）とされる。特許文献３に開示の技術では、そのような点灯信号を用いることにより、重像ぼけを低減している。
【０００７】
しかしながら、上述した特許文献１〜３に開示の技術では、１フレームのバックライトの点灯回数が一定であるため、表示画像によってフリッカ妨害が視認されてしまうことがある。
【先行技術文献】
【特許文献】
【０００８】
【特許文献１】特開２０００−３２２０２９号公報
【特許文献２】特開２００８−６５２２８号公報
【特許文献３】特開２００６−１８２００号公報
【発明の概要】
【発明が解決しようとする課題】
【０００９】
本発明は、フリッカ妨害、動きぼけ、及び、重像ぼけを低減することのできる技術を提供することを目的とする。
【課題を解決するための手段】
【００１０】
本発明の第１の液晶表示装置は、
バックライトと、
前記バックライトから照射される光を透過することにより、画像を表示する液晶パネルと、
フレーム毎に、前記バックライトの点灯期間として、長さが２種類以上ある複数の期間を設定する設定手段と、
を有し、
前記設定手段は、
前記液晶パネルの垂直駆動周波数が第１の周波数である場合に、１フレーム内の複数の点灯期間として、前記垂直駆動周波数が前記第１の周波数よりも高い第２の周波数である場合よりも多い点灯期間を設定するものであり、
１フレーム内の点灯期間の間隔が、該フレーム内の最後の点灯期間の終了時刻から、該フレームの終了時刻までの時間よりも短くなるように、点灯期間を設定する
ことを特徴とする。
本発明の第２の液晶表示装置は、
バックライトと、
前記バックライトから照射される光を透過することにより、画像を表示する液晶パネルと、
フレーム毎に、前記バックライトの点灯期間として、長さが２種類以上ある複数の期間を設定する設定手段と、
を有し、
前記設定手段は、
前記液晶パネルの垂直駆動周波数が第１の周波数である場合に、１フレーム内の複数の点灯期間として、前記垂直駆動周波数が前記第１の周波数よりも高い第２の周波数である場合よりも多い点灯期間を設定するものであり、
１フレーム内に３つ以上の点灯期間を設定する際に、該フレームの中心時刻に近いほど点灯期間の長さが長くなるように、点灯期間を設定する
ことを特徴とする。
本発明の第３の液晶表示装置は、
バックライトと、
前記バックライトから照射される光を透過することにより、画像を表示する液晶パネルと、
フレーム毎に、前記バックライトの点灯期間として、長さが２種類以上ある複数の期間を設定する設定手段と、
を有し、
前記設定手段は、
入力画像データのフレームレートが第１のフレームレートである場合に、１フレーム内の複数の点灯期間として、前記フレームレートが前記第１のフレームレートよりも高い第２のフレームレートである場合よりも多い点灯期間を設定するものであり、
１フレーム内の点灯期間の間隔が、該フレーム内の最後の点灯期間の終了時刻から、該フレームの終了時刻までの時間よりも短くなるように、点灯期間を設定する
ことを特徴とする。
本発明の第４の液晶表示装置は、
バックライトと、
前記バックライトから照射される光を透過することにより、画像を表示する液晶パネルと、
フレーム毎に、前記バックライトの点灯期間として、長さが２種類以上ある複数の期間を設定する設定手段と、
を有し、
前記設定手段は、
入力画像データのフレームレートが第１のフレームレートである場合に、１フレーム内の複数の点灯期間として、前記フレームレートが前記第１のフレームレートよりも高い第２のフレームレートである場合よりも多い点灯期間を設定するものであり、
１フレーム内に３つ以上の点灯期間を設定する際に、該フレームの中心時刻に近いほど点灯期間の長さが長くなるように、点灯期間を設定する
ことを特徴とする。
【００１１】
本発明の第１の液晶表示装置の制御方法は、
バックライトと、前記バックライトから照射される光を透過することにより、画像を表示する液晶パネルと、を有する液晶表示装置の制御方法であって、
フレーム毎に、前記バックライトの点灯期間として、長さが２種類以上ある複数の期間を設定するステップ、を有し、
前記点灯期間を設定するステップは、前記液晶パネルの垂直駆動周波数が第１の周波数である場合に、１フレーム内の複数の点灯期間として、前記垂直駆動周波数が前記第１の周波数よりも高い第２の周波数である場合よりも多い点灯期間を設定するステップであり、
前記点灯期間を設定するステップでは、１フレーム内の点灯期間の間隔が、該フレーム内の最後の点灯期間の終了時刻から、該フレームの終了時刻までの時間よりも短くなるように、点灯期間が設定される
ことを特徴とする。
本発明の第２の液晶表示装置の制御方法は、
バックライトと、前記バックライトから照射される光を透過することにより、画像を表示する液晶パネルと、を有する液晶表示装置の制御方法であって、
フレーム毎に、前記バックライトの点灯期間として、長さが２種類以上ある複数の期間を設定するステップ、を有し、
前記点灯期間を設定するステップは、前記液晶パネルの垂直駆動周波数が第１の周波数である場合に、１フレーム内の複数の点灯期間として、前記垂直駆動周波数が前記第１の周波数よりも高い第２の周波数である場合よりも多い点灯期間を設定するステップであり、
前記点灯期間を設定するステップでは、１フレーム内に３つ以上の点灯期間が設定される際に、該フレームの中心時刻に近いほど点灯期間の長さが長くなるように、点灯期間が設定される
ことを特徴とする。
本発明の第３の液晶表示装置の制御方法は、
バックライトと、前記バックライトから照射される光を透過することにより、画像を表示する液晶パネルと、を有する液晶表示装置の制御方法であって、
フレーム毎に、前記バックライトの点灯期間として、長さが２種類以上ある複数の期間を設定するステップ、を有し、
前記点灯期間を設定するステップは、入力画像データのフレームレートが第１のフレームレートである場合に、１フレーム内の複数の点灯期間として、前記フレームレートが前記第１のフレームレートよりも高い第２のフレームレートである場合よりも多い点灯期間を設定するステップであり、
前記点灯期間を設定するステップでは、１フレーム内の点灯期間の間隔が、該フレーム内の最後の点灯期間の終了時刻から、該フレームの終了時刻までの時間よりも短くなるように、点灯期間が設定される
ことを特徴とする。
本発明の第４の液晶表示装置の制御方法は、
バックライトと、前記バックライトから照射される光を透過することにより、画像を表示する液晶パネルと、を有する液晶表示装置の制御方法であって、
フレーム毎に、前記バックライトの点灯期間として、長さが２種類以上ある複数の期間を設定するステップ、を有し、
前記点灯期間を設定するステップは、入力画像データのフレームレートが第１のフレームレートである場合に、１フレーム内の複数の点灯期間として、前記フレームレートが前記第１のフレームレートよりも高い第２のフレームレートである場合よりも多い点灯期間を設定するステップであり、
前記点灯期間を設定するステップでは、１フレーム内に３つ以上の点灯期間が設定される際に、該フレームの中心時刻に近いほど点灯期間の長さが長くなるように、点灯期間が設定される
ことを特徴とする。
【発明の効果】
【００１２】
本発明によれば、フリッカ妨害、動きぼけ、及び、重像ぼけを低減することができる。
【図面の簡単な説明】
【００１３】
【図１】実施例１に係る液晶表示装置の構成の一例
【図２】実施例１に係る点灯期間の決定手順の一例
【図３】ＢＬ調光値と点灯回数の関係を表す関数の一例
【図４】点灯回数毎に発光輝度比を表すテーブルの一例
【図５】実施例１に係るＢＬ駆動電流の波形の一例
【図６】図５のＢＬ駆動電流でバックライトを点灯させた場合の効果の一例
【図７】実施例１に係るＢＬ駆動電流の波形の一例
【図８】図７のＢＬ駆動電流でバックライトを点灯させた場合の効果の一例
【図９】実施例１に係るＢＬ駆動電流の波形の一例
【図１０】図９（ａ）のＢＬ駆動電流でバックライトを点灯させた場合の効果の一例
【図１１】図９（ｂ）のＢＬ駆動電流でバックライトを点灯させた場合の効果の一例
【図１２】図５の点灯期間の順番を逆にした場合の効果の一例
【図１３】実施例２に係る液晶表示装置の構成の一例
【図１４】動き判定値の算出手順の一例
【図１５】実施例２に係る点灯期間の決定手順の一例
【図１６】ＢＬスキャンを行わない場合に発生する妨害の一例
【図１７】従来のＢＬスキャンを行った場合に発生する妨害の一例
【発明を実施するための形態】
【００１４】
＜実施例１＞
以下、本発明の実施例１に係る液晶表示装置及びその制御方法について説明する。
図１は、本実施例に係る液晶表示装置の構成の一例を示すブロック図である。
図１に示すように、本実施例に係る液晶表示装置は、パルス変調部１０１、バックライト制御部１０２、バックライト１０３、液晶パネル１０４、表示制御部１０５などを有する。
液晶パネル１０４は、入力画像信号に基づいて透過率が制御される複数の液晶素子を有する。
表示制御部１０５は、入力画像信号に基づいて、液晶パネル１０４が有する複数の液晶素子の透過率を制御する。
バックライト１０３は、液晶パネル１０４の背面に光を照射する。本実施例では、バックライト１０３は、液晶パネル１０４の画面の領域を分割して得られるブロック毎に点灯及び消灯を制御可能な構成を有する。具体的には、バックライト１０３は、光源として、液晶パネル１０４の背面と対向するようにマトリクス状に配置された複数のＬＥＤを有するものとする。また、本実施例では、バックライトの明るさを変更可能とする。
なお、バックライトはこれに限らない。例えば、板面が液晶パネル１０４の背面と対向する導光板と、該導光板の縁部に設けられた光源とを有するエッジライト型バックライトが用いられてもよい。また、光源はＬＥＤに限らない。例えば、光源は冷陰極管であってもよい。
パルス変調部１０１は、バックライトの点灯期間を設定する。本実施例では、パルス変調部１０１は、フレーム毎に、長さが互いに異なる複数の点灯期間を設定する。点灯期間の設定方法は後述する。
バックライト制御部１０２は、パルス変調部１０１で設定されたバックライトの点灯期間にバックライト１０３が点灯し、それ以外の期間にバックライト１０３が消灯するようにバックライト１０３の点灯及び消灯を制御する。本実施例では、バックライト１０３を消灯する期間を消灯期間と呼ぶ。
本実施例では、ブロック毎に、そのブロックに属すＬＥＤの点灯期間が設定され、該ＬＥＤの点灯及び消灯が制御される。具体的には、１つのＢＬライン（複数のＬＥＤによって形成されるマトリクスのライン）上の全てのＬＥＤが１ブロックのＬＥＤとされる。そして、画面上側のＢＬラインから画面下側のＢＬラインに向かって、各ＢＬラインのＬＥＤが順番に点灯される。
【００１５】
なお、本実施例では、点灯期間の各時刻のバックライトの輝度（瞬時値；瞬間輝度）が予め定められた固定値であるものとするが、バックライトの瞬間輝度は入力画像信号等に基づいて表示制御部１０５により決定されてもよい。例えば、入力画像信号が暗い画像の信号ときにバックライトの瞬間輝度が低くされてもよい。それにより、１フレームのバックライトの総発光量が低くなり、１フレームのバックライトの明るさが暗くなる。そのような場合には、表示制御部１０５は、バックライトの瞬間輝度に基づいて、入力画像信号に画像処理を施し、画像処理が施された入力画像信号に基づいて液晶素子の透過率を制御してもよい。例えば、表示制御部１０５は、入力画像信号に基づくバックライトの明るさの変更によって画面の明るさが変化しないように、入力画像信号に画像処理を施してもよい。そのような構成にすることにより、画像のコントラストを向上したり、消費電力を低減したりすることができる。なお、入力画像信号に基づいて１フレーム内の点灯期間の総時間が決定されてもよい。
【００１６】
パルス変調部１０１によるバックライトの点灯期間の設定方法（決定方法）について、以下に説明する。
パルス変調部１０１は、設定されたＢＬ調光値ＢＬａを用いて、１フレーム内のバックライトの点灯回数ｎ（１フレーム内の点灯期間の数）と、各点灯期間の長さＢＬｄ（ｘ）及び開始時刻ＢＬｐ（ｘ）とを決定する。ｘは、１〜ｎの整数であり、点灯期間の順番を表す。ＢＬａは、１フレーム内の点灯期間の総時間を示す。ＢＬａが大きいほど、１フレ
ーム内の点灯期間の総時間が長くなり、１フレームのバックライトの明るさが明るくなる（１フレームのバックライトの総発光量が高くなる）。換言すれば、ＢＬａが小さいほど、１フレーム内の点灯期間の総時間が短くなり、１フレームのバックライトの明るさが暗くなる（１フレームのバックライトの総発光量が低くなる）。ＢＬｄ（ｘ）は、１フレーム内の複数の点灯期間のうち、ｘ番目の点灯期間の長さを示す。ＢＬｐ（ｘ）は、１フレーム内の複数の点灯期間のうち、ｘ番目の点灯期間の開始時刻を示す。
【００１７】
図２は、点灯回数ｎ、各点灯期間の長さＢＬｄ（ｘ）、及び、各点灯期間の開始時刻ＢＬｐ（ｘ）の決定手順の一例を示すフローチャートである。
まず、パルス変調部１０１は、画面の明るさが明るいときに、暗いときよりも１フレーム内の点灯期間の数が多くなるように、点灯回数ｎを決定する（ステップＳ１０２１）。これは、画面の明るさが明るいときのほうが、暗いときよりもフリッカ妨害が視認されやすいためである。本実施例では、画面の明るさが明るいときに、暗いときよりも１フレーム内の点灯期間の数（点灯回数ｎ）を多くすることにより、動画ぼけを抑制するとともにフリッカ妨害を精度良く抑制することが可能となる。一方、点灯回数ｎを多くすると重像ぼけが視認され易くなる。本実施例では、画面の明るさが暗いときに点灯回数ｎを少なくすることにより、動画ぼけ及びフリッカ妨害を抑制しつつ重像ぼけを抑制することが可能となる。
【００１８】
入力画像信号が一色の画像の信号である場合には、バックライトが明るいほど（ＢＬ調
光値ＢＬａが大きいほど）画面が明るくなる。そこで、本実施例では、バックライトの明るさを画面の明るさとして、点灯回数ｎを決定する。上述したように、本実施例ではバックライトの瞬間輝度が固定値であるため、１フレームのバックライトの明るさは該フレーム内の点灯期間の総時間、即ちＢＬ調光値ＢＬａの設定値に応じて決まる。そのため、本実施例では、ＢＬ調光値ＢＬａの設定値に応じて点灯回数ｎが決定される。それにより、少ない処理量でＳ１０２１の処理を実現することができる。ＢＬ調光値ＢＬａは、ユーザ操作や、画像の表示モードまたは入力画像信号に基づいて決定（設定）される。例えば、ＢＬ調光値ＢＬａは、入力画像信号の階調値（例えば、平均階調値）などに応じて決定される。具体的には、点灯回数ｎは、図３に示すＢＬ調光値ＢＬａと点灯回数ｎの関係を表す関数やテーブルを用いて決定される。図３の例では、ＢＬ調光値ＢＬａが高いときのほうが低いときよりも点灯回数ｎが多くされている。
【００１９】
ステップＳ１０２１の次に、パルス変調部１０１は、各点灯期間の長さＢＬｄ（ｘ）を決定する（ステップＳ１０２２）。本実施例では、式１を用いて各点灯期間の長さＢＬｄ（ｘ）が算出される。式１において、ｈ（ｘ）は、バックライトの発光輝度比（１フレームにおけるバックライトの総発光量に対する、該フレーム内のｘ番目の点灯期間におけるバックライトの総発光量の比）を示す。発光輝度比ｈ（ｘ）は、図４に示すような所定のテーブル（点灯回数ｎ毎にｘと発光輝度比ｈ（ｘ）の関係を表すテーブル）等を用いて決定される。図４の例では、ｈ（１）〜ｈ（ｎ）は互いに異なる値が設定されている。そのため、ＢＬｄ（１）〜ＢＬｄ（ｎ）は互いに異なる大きさ（長さ）となる。なお、ｈ（１）〜ｈ（ｎ）の総和は１とされているため、ＢＬｄ（１）〜ＢＬｄ（ｎ）の総和はＢＬａと一致する。
ＢＬｄ（ｘ）＝ｈ（ｘ）×ＢＬａ  ・・・（式１）
【００２０】
そして、パルス変調部１０１は、各点灯期間の開始時刻ＢＬｐ（ｘ）を決定する（ステップＳ１０２３）。本実施例では、式２を用いて各点灯期間の開始時刻ＢＬｐ（ｘ）が算出される。式２において、Ｆａは１フレーム期間の長さを示す。
ＢＬｐ（ｘ）＝ＢＬｄ（ｘ−１）＋ＢＬｐ（ｘ−１）＋（Ｆａ−ＢＬａ）／Ｇｔ
・・・（式２）
但し、本実施例では、１フレーム期間の開始時刻を０とし、１番目（ｘ＝１）の点灯期間の開始時刻ＢＬｐ（１）＝０とする。
なお、本実施例では、Ｇｔ＝ｎとする。そのようにすると、消灯期間の長さが均一となるように点灯期間が決定される。消灯期間の長さを均一にすることにより、消灯期間の長さが均一でない場合よりもフリッカ妨害を低減することができる。
ステップＳ１０２１〜Ｓ１０２３の処理により、１フレーム内の点灯期間が決定される。
【００２１】
次に、パルス変調部１０１は、ステップＳ１０２２で算出したｎ個のＢＬｄ（ｘ）と、ステップＳ１０２３で算出したｎ個のＢＬｐ（ｘ）とを、バックライト制御部１０２へ出力する（ステップＳ１０２４）。バックライト制御部１０２は、パルス変調部１０１から入力されたＢＬｐ（ｘ）とＢＬｄ（ｘ）をもとにバックライト１０３のＬＥＤに駆動電流（ＢＬ駆動電流）を印加し、ＬＥＤを点灯させる。
【００２２】
図５に、本実施例に係るＢＬ駆動電流（ＬＥＤに印加する電流）の波形の一例を示す。図５は、複数の光源（ＬＥＤ）により形成されるマトリクスの行数（ＢＬライン数）が４の場合の例である。即ち、図５は、画面の領域が垂直方向に並んだ４つの領域（ブロック）に分割されている場合の例である。また、図５は、点灯回数ｎ＝２の場合の例である。
ＢＬライン１（最も上側のＢＬライン）のＬＥＤは、フレーム期間の開始時刻（図５の例では、垂直同期信号ＶＳがＯＦＦになったタイミング）から時間ＢＬｄ（１）だけ点灯される。その後、ＢＬライン１のＬＥＤは、時間ＢＬｅ１だけ消灯される。そして、ＢＬライン１のＬＥＤは、フレーム期間の開始時刻からＢＬｄ（１）＋ＢＬｅ１経過したタイミング（時刻ＢＬｐ（２））から、時間ＢＬｄ（２）だけ点灯される。このように、ＬＥＤは、１フレームに２回点灯される。ＢＬライン２〜４のＬＥＤの点灯及び消灯もＢＬライン１のＬＥＤと同様に制御される。但し、ＢＬライン２の点灯開始時刻及び点灯終了時刻は、ＢＬライン１よりも遅延時間ｄｙだけ遅延された時刻とされる。ＢＬライン３の点灯開始時刻及び点灯終了時刻は、ＢＬライン２よりも遅延時間ｄｙだけ遅延された時刻とされる。ＢＬライン４の点灯開始時刻及び点灯終了時刻は、ＢＬライン３よりも遅延時間ｄｙだけ遅延された時刻とされる。遅延時間ｄｙは、例えば、式３を用いて算出される。
ｄｙ＝１フレーム期間÷ＢＬライン数  ・・・（式３）
【００２３】
次に、図６を用いて本実施例の効果について説明する。
図６は、図５のＢＬ駆動電流でバックライトを点灯させ、画面上を左から右に移動する物体の画像を表示した場合の効果の一例を示す模式図である。
図６（ａ）は、期間ｔ１，ｔ２，ｔ３の３つのフレームの液晶ラインＡ（複数の液晶素子によって形成されるマトリクスのライン）の入力画像信号の一例を示す図である。図６（ａ）は、暗い背景Ｂ上を明るい物体Ｏが画面の左側から右側に向かって動く画像信号の例を示している。
図６（ｂ）は、期間ｔ３での液晶ラインＡの液晶素子の透過率の一例を示す図である。図６（ｂ）の縦軸は透過率を示し、横軸は空間位置（液晶素子の水平方向（左右方向）の位置）を示す。透過率は画像の輝度に対応する。
図６（ｃ）は、入力画像信号の垂直同期信号の一例を示す図である。期間ｔ１，ｔ２，ｔ３はそれぞれ１フレーム期間であり、垂直同期信号は１フレーム期間毎に１回入力される。
図６（ｄ）は、バックライト（液晶ラインＡに対応するバックライト）の点灯状態の一例を示す図である。図６（ｄ）の縦軸は時間を示し、横軸は各時刻におけるバックライトの瞬間輝度を示す。図６（ｄ）の例では、１フレーム内のバックライトの点灯期間として、２つの点灯期間が設定されている。また、上記２つの点灯期間の長さは互いに異なる長さとされている。
図６（ｅ）は、上述した期間ｔ１，ｔ２，ｔ３の３つのフレームの液晶ラインＡの表示画像（画面上に表示された画像）の一例を示す図である。図６（ｅ）の縦軸は時間を示し、横軸は空間位置を示す。図６（ｅ）の例では、バックライト（液晶ラインＡに対応するバックライト）の点灯期間に入力画像信号に基づく画像が表示され、バックライトの非点灯期間（消灯期間）に黒画像が表示されている。即ち、入力画像信号に基づく画像と黒画像とが交互に表示されている。具体的には、入力画像信号に基づく画像が２回表示されており、それぞれの表示時間は互いに異なる。なお、図６（ｅ）では、物体Ｏの領域のみを示し、背景Ｂの領域は省略している。
図６（ｆ）は、視聴者が物体Ｏの動きを目で追った場合に、視聴者の目の網膜に入力される輝度の積分値、即ち視聴者が知覚する画像（液晶ラインＡの画像）の一例を示す図である。
図６（ｇ）は、図６（ｆ）の積分値の分布（輝度分布）を示す図である。
図６（ｈ），６（ｉ）は、輝度分布の従来例を示す図である。具体的には、図６（ｈ）は、ＢＬスキャンを行わなかった場合の輝度分布（図１６（ｆ））を示している。図６（ｉ）は、従来のＢＬスキャンを行った場合の輝度分布（図１７（ｆ））を示している。
【００２４】
複数の点灯期間を設定したこと（１つの点灯期間を分割したこと）により、図６（ｇ）の物体Ｏの縁部１０６１の輝度の変化は、図６（ｈ）の物体Ｏの縁部１０６４よりも急峻となっている。そのため、本実施例（図６（ｇ））では、図６（ｈ）よりも動画ぼけが改善されている。
また、複数の点灯期間の長さが互いに異なることにより、図６（ｇ）の平坦部１０６２（縁部内の輝度が一定の領域）の輝度は、図６（ｉ）の平坦部１０６５の輝度よりも背景Ｂの輝度に近い値となっている。そして、図６（ｇ）の平坦部１０６３の輝度は、図６（ｉ）の平坦部１０６５の輝度よりも物体Ｏの輝度に近い値となっている。このように、平坦部の輝度を背景や物体の輝度に近づけることにより、平坦部の輝度が背景の輝度と物体の輝度の中間の輝度（平均値）である場合に比べ、重像ぼけを低減することができる。
【００２５】
以上述べたように、本実施例によれば、画面の明るさが明るいときに、暗いときよりも１フレーム内の点灯期間の数が多くされる。それにより、フリッカ妨害を精度良く低減することが可能となる。
また、本実施例によれば、１フレーム内の複数の点灯期間の長さが、互いに異なる長さとされる。それにより、平坦部の輝度を背景や物体の輝度に近づけることができ、重像ぼけを低減することができる。
また、本実施例によれば、消灯期間の長さが均一となるように、点灯期間が設定される。それにより、黒画像の１回の表示時間が均一となるため、フリッカ妨害をより低減することができる。
【００２６】
なお、点灯期間の設定方法は上述した方法に限らない。画面の明るさが明るいときに暗いときよりも１フレーム内の点灯期間の数が多くされ、１フレーム内の複数の点灯期間の長さが互いに異なっていれば、点灯期間はどのように設定されてもよい。例えば、各点灯期間の長さや開始時刻は、ユーザにより設定されてもよい。
なお、本実施例では、ＢＬライン毎にバックライトの点灯及び消灯が制御される、即ち１つのＢＬライン上の全ての光源を１ブロックの光源とする場合について説明したが、これに限らない。例えば、バックライトが有する全ての光源を１ブロックの光源としてもよい。即ち、バックライト全体が同時に点灯及び消灯されてもよい。また、１つの光源を１ブロックの光源としてもよい。
なお、本実施例では、点灯回数ｎがブロック間で互いに等しいものとしたが、点灯回数ｎはブロック間で互いに異なっていてもよい。具体的には、ブロック毎に、そのブロックの画面の明るさに応じて、該ブロックのバックライトの点灯回数ｎが決定されてもよい。それにより、より精度良くフリッカ妨害を低減することが可能となる。具体的には、ブロック毎に、そのブロックに表示される画像の特徴に合わせてフリッカ妨害を低減することが可能となる。
なお、本実施例では、１フレームの画面の明るさとしてＢＬ調光値（該フレームのバックライトの明るさ）を用いて、点灯回数ｎが決定されるものとしたが、点灯回数ｎの決定方法はこれに限らない。例えば、ＢＬ調光値と入力画像信号（各液晶素子の透過率）とを用いて、１フレームの画面の明るさを詳細に算出（予測）してもよい。
なお、本実施例では、フレーム毎に、複数の点灯期間が設定されるものとしたが、入力画像信号が画像の動きの少ない信号である場合には、複数フレーム毎に、複数の点灯期間が設定されてもよい。その場合、１つの点灯期間が、２フレームを跨いでいてもよい。
【００２７】
なお、１フレーム内の点灯期間の間隔が、該フレーム内の最後の点灯期間の終了時刻から、該フレームの終了時刻までの時間よりも短くなるように、点灯期間が設定されてもよい。即ち、図５の場合よりも１フレーム内の点灯期間の間隔を小さくしてもよい。それにより、動画ぼけ及び重像ぼけをさらに低減することができる。
そのような点灯期間は、例えば、式２のＧｔの値を点灯回数ｎよりも大きくすることで得ることができる。
図７は、点灯回数ｎ＝２、Ｇｔ＝４としてＢＬｐ（ｘ）を算出したときの、ＢＬ駆動電流の波形の一例を示す図である。Ｇｔの値を点灯回数ｎより大きくすると、１番目の点灯期間と２番目の点灯期間との間隔ＢＬｅ２が、Ｇｔの値が点灯回数ｎと等しい場合の長さ（図５のＢＬｅ１）よりも短くなる。即ち、１番目の点灯期間と２番目の点灯期間との間隔が、２番目の点灯期間の終了時刻からフレームの終了時刻までの時間よりも短くなる。
【００２８】
図８を用いて、図７のＢＬ駆動電流でバックライトを駆動したときの効果について説明する。
図８は、図７のＢＬ駆動電流でバックライトを点灯させ、画面上を左から右に移動する物体の画像を表示した場合の効果の一例を示す模式図である。
図８（ａ）〜８（ｃ），８（ｈ），８（ｉ）は、図６（ａ）〜６（ｃ），６（ｈ），６（ｉ）と同じである。
図８（ｄ）は、バックライト（液晶ラインＡに対応するバックライト）の点灯状態の一例を示す図である。図８（ｄ）の縦軸は時間を示し、横軸は各時刻におけるバックライトの瞬間輝度を示す。図８（ｄ）の例では、１フレーム内のバックライトの点灯期間として、２つの点灯期間が設定されている。また、上記２つの点灯期間の長さは互いに異なる長さとされている。更に、１番目の点灯期間と２番目の点灯期間との間隔は、消灯期間の長さを均一とする場合（図６（ｄ））よりも短くされている。
図８（ｅ）は、期間ｔ１，ｔ２，ｔ３の３つのフレームの液晶ラインＡの表示画像の一例を示す図である。図８（ｅ）の縦軸は時間を示し、横軸は空間位置を示す。図８（ｅ）の例では、バックライトの点灯期間に入力画像信号に基づく画像が表示され、バックライトの非点灯期間（消灯期間）に黒画像が表示されている。即ち、入力画像信号に基づく画像と黒画像とが交互に表示されている。具体的には、入力画像信号に基づく画像が２回表示されており、それぞれの表示時間は互いに異なる。なお、図８（ｅ）では、物体Ｏの領域のみを示し、背景Ｂの領域は省略している。
図８（ｆ）は、視聴者が物体Ｏの動きを目で追った場合に、視聴者の目の網膜に入力される輝度の積分値、即ち視聴者が知覚する画像（液晶ラインＡの画像）の一例を示す図である。
図８（ｇ）は、図８（ｆ）の積分値の分布（輝度分布）を示す図である。
【００２９】
複数の点灯期間を設定し、且つ、１フレーム内の点灯期間の間隔を小さくしたことにより、図８（ｇ）の物体Ｏの縁部１０８１の輝度の変化は、図８（ｉ）の物体Ｏの縁部１０８４よりも急峻となっている。そのため、図８（ｇ）では、図８（ｉ）や図８（ｈ）よりも動画ぼけが改善されている。
また、複数の点灯期間の長さが互いに異なることにより、図８（ｇ）では、図６（ｇ）の場合と同様に重像ぼけが低減される。
更に、１フレーム内の点灯期間の間隔を小さくしたことにより、図８（ｇ）の平坦部１０８２，１０８３のサイズは、消灯期間の長さを均一とする場合（図８（ｉ）や図６（ｇ））の平坦部よりも小さくされている。そのため、図８（ｇ）では、消灯期間の長さを均一とする場合（図８（ｉ）や図６（ｇ））よりも重像ぼけが改善されている。
【００３０】
なお、点灯期間の開始時刻ＢＬｐ（ｘ）は以下の式３を用いて算出されてもよい。式２に「−ＢＬｄ（ｘ）／２」の項を更に追加することにより、１フレーム内の点灯期間の間隔をより小さくすることができる。
ＢＬｐ（ｘ）
＝ＢＬｄ（ｘ−１）＋ＢＬｐ（ｘ−１）＋（Ｆａ−ＢＬａ）／Ｇｔ−ＢＬｄ（ｘ）／２
・・・（式３）
【００３１】
なお、１フレーム内に３つ以上の点灯期間を設定する際に、該フレーム内の点灯期間の間隔が徐々に短くなるように、点灯期間が設定されてもよい。
そのような点灯期間は、例えば、開始時刻ＢＬｐ（ｘ）を算出する際に、使用するＧｔの値を徐々に大きくすればよい。
図９（ａ）は、点灯回数ｎ＝３としてＢＬｐ（ｘ）を算出したときの、ＢＬ駆動電流の波形の一例を示す図である。図９（ａ）に示すように、１番目の点灯期間（長さＢＬｄ（１）の期間）と２番目の点灯期間（長さＢＬｄ（２）の期間）との間隔をＢＬｅ３とする。２番目の点灯期間と３番目の点灯期間（長さＢＬｄ（３）の期間）との間隔をＢＬｅ４とする。図９（ａ）は、ｈ１：ｈ２：ｈ３が０．７：０．２：０．１の場合の例である。
Ｇｔの値を徐々に大きくして開始時刻ＢＬｐ（ｘ）を算出すると、１フレーム内の点灯期間の間隔が徐々に短くなるように点灯期間が決定される。具体的には、長さＢＬｅ４は長さＢＬｅ３より短くなる。
【００３２】
図１０を用いて、図９（ａ）のＢＬ駆動電流でバックライトを駆動したときの効果について説明する。
図１０は、図９（ａ）のＢＬ駆動電流でバックライトを点灯させ、画面上を左から右に移動する物体の画像を表示した場合の効果の一例を示す模式図である。
図１０（ａ）〜１０（ｃ），１０（ｈ），１０（ｉ）は、図６（ａ）〜６（ｃ），６（ｈ），６（ｉ）と同じである。
図１０（ｄ）は、バックライト（液晶ラインＡに対応するバックライト）の点灯状態の一例を示す図である。図１０（ｄ）の縦軸は時間を示し、横軸は各時刻におけるバックライトの瞬間輝度を示す。図１０（ｄ）の例では、１フレーム内のバックライトの点灯期間として、３つの点灯期間が設定されている。また、上記３つの点灯期間の長さは互いに異なる長さとされている。更に、１番目の非点灯期間の長さ（１番目の点灯期間と２番目の点灯期間との間隔）と、２番目の非点灯期間の長さ（２番目の点灯期間と３番目の点灯期間との間隔）とは、互いに異なる長さとされている。具体的には、１番目の非点灯期間の長さが、２番目の非点灯期間の長さよりも短くされている。また、１番目の非点灯期間の長さ、及び、２番目の非点灯期間の長さが、３番目の非点灯期間の長さ（３番目の点灯期間の終了時刻からフレームの終了時刻までの時間）よりも短くされている。即ち、図８と同様に、１フレーム内の点灯期間の間隔は、消灯期間の長さを均一とする場合よりも短く
されている。
図１０（ｅ）は、期間ｔ１，ｔ２，ｔ３の３つのフレームの液晶ラインＡの表示画像の一例を示す図である。図１０（ｅ）の縦軸は時間を示し、横軸は空間位置を示す。図１０（ｅ）の例では、バックライトの点灯期間に入力画像信号に基づく画像が表示され、バックライトの非点灯期間（消灯期間）に黒画像が表示されている。即ち、入力画像信号に基づく画像と黒画像とが交互に表示されている。具体的には、入力画像信号に基づく画像が３回表示されており、それぞれの表示時間は互いに異なる。なお、図１０（ｅ）では、物体Ｏの領域のみを示し、背景Ｂの領域は省略している。
図１０（ｆ）は、視聴者が物体Ｏの動きを目で追った場合に、視聴者の目の網膜に入力される輝度の積分値、即ち視聴者が知覚する画像（液晶ラインＡの画像）の一例を示す図である。
図１０（ｇ）は、図１０（ｆ）の積分値の分布（輝度分布）を示す図である。
【００３３】
複数の点灯期間を設定し、且つ、１フレーム内の点灯期間の間隔を小さくしたことにより、図８（ｇ）の場合と同様に、図１０（ｇ）の物体Ｏの縁部１１０１の輝度の変化は、図１０（ｉ）の物体Ｏの縁部１１０４よりも急峻となっている。そのため、図１０（ｇ）では、図１０（ｉ）や図１０（ｈ）よりも動画ぼけが改善されている。
また、複数の点灯期間の長さが互いに異なることにより、図１０（ｇ）では、図６（ｇ）の場合と同様に重像ぼけが低減される。
また、３つの点灯期間を設定したこと（点灯期間を３つに分割したこと）により、図１０（ｇ）では、２つの点灯期間を設定する場合（点灯期間を２つに分割する場合）よりも、傾斜部（縁部のうち平坦部以外の部分）のサイズが小さくされている。具体的には、図１０（ｇ）では、図８（ｇ）よりも傾斜部のサイズが小さくされている。そのため、図１０（ｇ）では、図８（ｇ）よりも動画ぼけが改善されている。
また、１フレーム内の点灯期間の間隔を小さくしたことにより、図１０（ｇ）では、図８（ｇ）の場合と同様に、消灯期間の長さを均一とする場合よりも重像ぼけが改善されている。
また、１フレーム内の点灯期間の間隔を徐々に短くしたことにより、図１０（ｇ）では、縁部内の複数の平坦部のサイズが互いに異なるサイズとされている。それにより、１フレーム内の点灯期間の間隔を均一とする場合よりも、重像ぼけの低減が期待できる。
【００３４】
なお、１フレーム内に３つ以上の点灯期間を設定する際に、該フレーム内の点灯期間の間隔が徐々に長くなるように、点灯期間が設定されてもよい。
そのような点灯期間は、例えば、開始時刻ＢＬｐ（ｘ）を算出する際に、使用するＧｔの値を徐々に小さくすればよい。
図９（ｂ）は、点灯回数ｎ＝３としてＢＬｐ（ｘ）を算出したときの、ＢＬ駆動電流の波形の一例を示す図である。図９（ｂ）に示すように、１番目の点灯期間（長さＢＬｄ（１）の期間）と２番目の点灯期間（長さＢＬｄ（２）の期間）との間隔をＢＬｅ３とする。２番目の点灯期間と３番目の点灯期間（長さＢＬｄ（３）の期間）との間隔をＢＬｅ４とする。図９（ｂ）は、ｈ１：ｈ２：ｈ３が０．１：０．７：０．２の場合の例である。そのため、図９（ｂ）では、フレームの中心時刻に近いほど点灯期間の長さが長くなるように、点灯期間が設定されている。具体的には、長さが最も長い点灯期間が間にくるように、３つの点灯期間が設定されている。
Ｇｔの値を徐々に小さくして開始時刻ＢＬｐ（ｘ）を算出すると、１フレーム内の点灯期間の間隔が徐々に長くなるように点灯期間が決定される。具体的には、長さＢＬｅ４は長さＢＬｅ３より長くなる。
【００３５】
図１１を用いて、図９（ｂ）のＢＬ駆動電流でバックライトを駆動したときの効果について説明する。
図１１は、図９（ｂ）のＢＬ駆動電流でバックライトを点灯させ、画面上を左から右に
移動する物体の画像を表示した場合の効果の一例を示す模式図である。
図１１（ａ）〜１１（ｃ），１１（ｈ），１１（ｉ）は、図６（ａ）〜６（ｃ），６（ｈ），６（ｉ）と同じである。
図１１（ｄ）は、バックライト（液晶ラインＡに対応するバックライト）の点灯状態の一例を示す図である。図１１（ｄ）の縦軸は時間を示し、横軸は各時刻におけるバックライトの瞬間輝度を示す。図１１（ｄ）の例では、１フレーム内のバックライトの点灯期間として、３つの点灯期間が設定されている。また、上記３つの点灯期間の長さは互いに異なる長さとされている。更に、１番目の非点灯期間の長さ（１番目の点灯期間と２番目の点灯期間との間隔）と、２番目の非点灯期間の長さ（２番目の点灯期間と３番目の点灯期間との間隔）とは、互いに異なる長さとされている。具体的には、１番目の非点灯期間の長さが、２番目の非点灯期間の長さよりも長くされている。また、１番目の非点灯期間の長さ、及び、２番目の非点灯期間の長さが、３番目の非点灯期間の長さよりも短くされている。即ち、図８と同様に、１フレーム内の点灯期間の間隔が、消灯期間の長さを均一とする場合よりも短くされている。また、３つの点灯期間のうち、２番目の点灯期間の長さが最も長くされている。
図１１（ｅ）は、期間ｔ１，ｔ２，ｔ３の３つのフレームの液晶ラインＡの表示画像の一例を示す図である。図１１（ｅ）の縦軸は時間を示し、横軸は空間位置を示す。図１１（ｅ）の例では、バックライトの点灯期間に入力画像信号に基づく画像が表示され、バックライトの非点灯期間（消灯期間）に黒画像が表示されている。即ち、入力画像信号に基づく画像と黒画像とが交互に表示されている。具体的には、入力画像信号に基づく画像が３回表示されており、それぞれの表示時間は互いに異なる。なお、図１１（ｅ）では、物体Ｏの領域のみを示し、背景Ｂの領域は省略している。
図１１（ｆ）は、視聴者が物体Ｏの動きを目で追った場合に、視聴者の目の網膜に入力される輝度の積分値、即ち視聴者が知覚する画像（液晶ラインＡの画像）の一例を示す図である。
図１１（ｇ）は、図１１（ｆ）の積分値の分布（輝度分布）を示す図である。
【００３６】
複数の点灯期間を設定し、且つ、１フレーム内の点灯期間の間隔を小さくしたことにより、図８（ｇ）の場合と同様に、図１１（ｇ）の物体Ｏの縁部１１７１の輝度の変化は、図１１（ｉ）の物体Ｏの縁部１１７４よりも急峻となっている。そのため、図１１（ｇ）では、図１１（ｉ）や図１１（ｈ）よりも動画ぼけが改善されている。
また、複数の点灯期間の長さが互いに異なることにより、図１１（ｇ）では、図６（ｇ）の場合と同様に重像ぼけが低減される。
また、３つの点灯期間を設定したことにより、図１１（ｇ）では、図１０（ｇ）と同様に、２つの点灯期間を設定する場合（図８（ｇ））よりも動画ぼけが改善されている。
また、１フレーム内の点灯期間の間隔を小さくしたことにより、図１１（ｇ）では、図８（ｇ）の場合と同様に、消灯期間の長さを均一とする場合よりも重像ぼけが改善されている。
また、１フレーム内の点灯期間の間隔を徐々に長くしたことにより、図１１（ｇ）では、縁部内の複数の平坦部のサイズが互いに異なるサイズとされている。それにより、図１０（ｇ）と同様に、１フレーム内の点灯期間の間隔を均一とする場合よりも、重像ぼけの低減が期待できる。
また、フレームの中心時刻に近いほど点灯期間の長さを長くしたことにより、図１１（ｇ）では、縁部内の複数の平坦部が、背景Ｂの輝度に近い輝度の平坦部と、物体Ｏの輝度に近い輝度の平坦部とに分けられている。それにより、平坦部の輝度を背景Ｂまたは物体Ｏの輝度により近づけることができ、重像ぼけをより低減することができる。例えば、長さが最も長い点灯期間を最初または最後の点灯期間とする場合（図１０（ｄ））よりも、平坦部の輝度を背景Ｂまたは物体Ｏの輝度に近づけることができ、重像ぼけをより低減することができる。なお、ここでは、点灯回数ｎが３の場合の例を示したが、点灯回数ｎが３より多い場合にも、フレームの中心時刻に近いほど点灯期間の長さを長くすることで同
様の効果が得られる。例えば、長さが互いに異なる４つの点灯期間（長さが長い順に、点灯期間１，２，３，４）を設定する場合には、点灯期間１と点灯期間２が、点灯期間３，４に挟まれるように、４つの点灯期間を設定すればよい。また、長さが互いに異なる５つの点灯期間（長さが長い順に、点灯期間１，２，３，４，５）を設定する場合には、点灯期間１が点灯期間２，３に挟まれ、点灯期間１，２，３が点灯期間４，５に挟まれるように、５つの点灯期間を設定すればよい。それにより、上記効果と同様の効果を得ることができる。
【００３７】
なお、図９（ａ），９（ｂ）では、１フレーム内の点灯期間の間隔を徐々に短くする場合と、１フレーム内の点灯期間の間隔を徐々に長くする場合を示したが、これに限らない。１フレーム内の点灯期間の間隔が互いに異なる長さとなるように、点灯期間を設定すれば、縁部内の複数の平坦部のサイズを互いに異なるサイズとすることができ、１フレーム内の点灯期間の間隔を均一とする場合よりも、重像ぼけの低減が期待できる。
【００３８】
なお、図６（ｇ），１０（ｇ）では、１フレーム内の点灯期間の長さが徐々に短くなる場合の例を示しているが、１フレーム内の点灯期間の長さが徐々に長くなるように、点灯期間を設定しても同様の効果を得ることができる。
図１２は、図５の点灯期間の順番を逆にしてバックライトを点灯させ、画面上を左から右に移動する物体の画像を表示した場合の効果の一例を示す模式図である。
図１２（ａ）〜１２（ｃ）は、図６（ａ）〜６（ｃ）と同じである。
図１２（ｄ）は、バックライト（液晶ラインＡに対応するバックライト）の点灯状態の一例を示す図である。図１２（ｄ）では、１番目の点灯期間の長さが図６（ｄ）の２番目の点灯期間と同じとされており、２番目の点灯期間の長さは６（ｄ）の２番目の点灯期間と同じとされている。それ以外は、図１２（ｄ）と図６（ｄ）は同じである。
図１２（ｅ）は、期間ｔ１，ｔ２，ｔ３の３つのフレームの液晶ラインＡの表示画像の一例を示す図である。図１２（ｅ）では、入力画像信号に基づく画像の１番目の表示時間は図６（ｅ）の２番目の表示時間と同じであり、２番目の表示時間は図６（ｅ）の１番目の表示時間と同じである。なお、図１２（ｅ）では、物体Ｏの領域のみを示し、背景Ｂの領域は省略している。
図１２（ｆ）は、視聴者が物体Ｏの動きを目で追った場合に、視聴者の目の網膜に入力される輝度の積分値、即ち視聴者が知覚する画像（液晶ラインＡの画像）の一例を示す図である。
図１２（ｇ）は、図１２（ｆ）の積分値の分布（輝度分布）を示す図である。
【００３９】
図６（ｇ）では、左側の縁部の平坦部の輝度が背景Ｂの輝度に近づけられているのに対し、図１２（ｇ）では、左側の縁部１１１０の平坦部の輝度が物体Ｏの輝度に近づけられている。具体的には、縁部１１１０の平坦部の輝度は、図６（ｇ）の右側の縁部の平坦部の輝度と同じとされている。また、図６（ｇ）では、右側の縁部の平坦部の輝度が物体Ｏの輝度に近づけられているのに対し、図１２（ｇ）では、右側の縁部１１１１の平坦部の輝度が背景Ｂの輝度に近づけられている。具体的には、縁部１１１１の平坦部の輝度は、図６（ｇ）の左側の縁部の平坦部の輝度と同じとされている。それ以外は、図１２（ｇ）と図６（ｇ）は同じである。即ち、図１２（ｇ）の輝度分布は、図６（ｇ）の輝度分布を左右反転させた分布となっている。そのため、図１２（ｇ）の例では、図６（ｇ）と同様の効果が得られる。
【００４０】
なお、点灯回数ｎが２より大きい場合であっても、１フレーム内の点灯期間の長さが徐々に長くなる場合と、１フレーム内の点灯期間の長さが徐々に短くなる場合とで、同様の効果が得られる。図１０（ｊ）は、図９（ａ）の点灯期間の順番を逆にしてバックライトを点灯させ、画面上を左から右に移動する物体の画像を表示した場合の輝度分布の一例を示す模式図である。図１０（ｊ）の輝度分布は、図１０（ｇ）の輝度分布を左右反転させ
た分布となっている。そのため、図１０（ｊ）の例では、図１０（ｇ）と同様の効果が得られる。
【００４１】
＜実施例２＞
以下、本発明の実施例２に係る液晶表示装置及びその制御方法について説明する。なお、実施例１と同様の構成等については、その説明を省略する。
図１３は、本実施例に係る液晶表示装置の構成の一例を示すブロック図である。
図１３に示すように、本実施例に係る液晶表示装置は、実施例１のパルス変調部１０１の代わりに、動き検出部２０１と動き適応パルス変調部２０２を有する。
動き検出部２０１は、フレーム間の画像の動き量を算出する。
動き適応パルス変調部２０２は、動き検出部２０１で算出された動き量を用いて、バックライトの点灯期間を設定する。
【００４２】
動き検出部２０１の処理について詳しく説明する。動き検出部２０１は、入力画像信号からフレーム間の画像の動き量を表す動き判定値Ｓｈを算出する。
図１４は、動き判定値Ｓｈの算出手順の一例を示すフローチャートである。
まず、動き検出部２０１は、現フレームの入力画像信号の平均階調値を算出して保存する（ステップＳ２００１）。
次に、動き検出部２０１は、保存された前フレームの平均階調値と現フレームの平均階調値との差分の絶対値（差分絶対値Ａ）を算出する（ステップＳ２００２）。
そして、動き検出部２０１は、式４を用いて、ステップＳ２００２で算出した差分絶対値Ａと、所定値Ｕｔｈとから動き判定値Ｓｈを算出する（ステップＳ２００３）。
Ｓｈ＝Ａ÷Ｕｔｈ  ・・・（式４）
動きが小さいほど、Ａの値は小さくなるため、Ｓｈの値も小さくなる。換言すれば、動きが大きいほど、Ａの値は大きくなるため、Ｓｈの値も大きくなる。
次に、動き検出部２０１は、ステップＳ１０２３で算出した動き判定値Ｓｈを動き適応パルス変調部２０２に出力する（ステップＳ２００４）。
【００４３】
なお、動き量（動き判定値Ｓｈ）の算出方法は上記方法に限らない。動きの大きさが判断できれば、どのような方法を用いてもよい。例えば、所定の時間間隔で入力されたフレームの平均階調値をサンプリングして保存しておき、当該保存された平均階調値の変化量に基づいて動き量を算出してもよい。平均階調値の代わりに、最頻階調値、階調値ヒストグラム、輝度ヒストグラムなどを用いて動き量を算出してもよい。フレーム間の入力画像信号の動きベクトルを検出し、動きベクトルの大きさから動き量を算出してもよい。しかし、平均階調値、最頻階調値、階調値ヒストグラム、輝度ヒストグラムの変化量に基づいて動き量を算出すれば、入力画像信号を細かく解析する必要が無いため、処理負荷を低減できる。
【００４４】
動き適応パルス変調部２０２の処理について詳しく説明する。動き適応パルス変調部２０２は、点灯回数ｎ、各点灯期間の長さＢＬｄ（ｘ）、及び、各点灯期間の開始時刻ＢＬｐ（ｘ）を決定する。具体的には、実施例１と同様にｎが決定され、動き検出部２０１で算出された動き判定値Ｓｈを用いて、ＢＬｄ（ｘ）とＢＬｐ（ｘ）が決定される。
図１５は、点灯回数ｎ、点灯期間の長さＢＬｄ（ｘ）、及び、点灯期間の開始時刻ＢＬｐ（ｘ）の決定手順の一例を示すフローチャートである。
まず、動き適応パルス変調部２０２は、ＢＬ調光値ＢＬａの設定値に応じて点灯回数ｎを決定する（ステップＳ２１０１）。点灯回数ｎの決定方法は実施例１と同様のため、その説明は省略する。
【００４５】
次に、動き適応パルス変調部２０２は、各点灯期間の長さＢＬｄ（ｘ）を決定する（ステップＳ２１０２）。本実施例では、動き量が大きいときに、小さいときよりも、１フレーム内の点灯期間の長さの差がより大きくなるように、点灯期間を設定する。具体的には、動き適応パルス変調部２０２は、以下の式５を用いて、各点灯期間の発光輝度比ｈ（ｘ）を算出する。
【数１】
0005858847.tif 000002
そして、算出したｈ（ｘ）と式１とを用いて各点灯期間の長さＢＬｄ（ｘ）を算出する。
なお、式５において、β（ｘ）、α（ｘ）は、ｈ（ｘ）の大きさを決定する定数である。β（ｘ）、α（ｘ）の値は、動き量が大きいときに、小さいときよりも、１フレーム内の点灯期間の長さの差がより大きくなるように、予め決定されている。例えば、点灯回数ｎ＝２のとき、β（１）＝３．５、α（１）＝０．２とする。そのような値とすれば、Ｓｈ＝０の場合（即ち、入力画像信号が静止画の信号である場合）、ｈ（２）＝０．４９、ｈ（１）＝０．５１となり、各点灯期間の発光輝度比が略均一とされる。また、Ｓｈ＝１の場合（即ち、入力画像信号が動画像の信号である場合）、ｈ（２）＝０．２、ｈ（１）＝０．８となり、各点灯期間の発光輝度比が互いに大きく異なる値とされる。その結果、動き量が大きいときに、小さいときよりも、１フレーム内の点灯期間の長さの差がより大きくなる。
なお、本実施例では、動き量が大きいほど、１フレーム内の点灯期間の長さの差を大きくする場合（即ち、動き量に応じて点灯期間の長さを連続的に変化させる場合）を示したが、これに限らない。例えば、動き量に応じて点灯期間の長さを段階的に変化させてもよい。
【００４６】
そして、動き適応パルス変調部２０２は、実施例１と同様に、式２を用いて各点灯期間の開始時刻ＢＬｐ（ｘ）を決定する（ステップＳ２１０３）。但し、本実施例では、動き量が大きいときに、小さいときよりも、１フレーム内の点灯期間の間隔が短くなるように、ＢＬｐ（ｘ）が決定される。また、動き量が小さいときに、大きいときよりも、消灯期間の長さがより均一になるように、ＢＬｐ（ｘ）が決定される。具体的には、ステップＳ２１０３では、式７によりＧｔ値が決定される。
Ｇｔ＝ｎ＋γ×Ｓｈ  ・・・（式７）
γは、Ｓｈの変化量に対するＧｔの変化量を決定する定数である。式７によれば、動き量（Ｓｈ）が大きいほどＧｔが大きくなる。動き量（Ｓｈ）が小さいほどＧｔがｎに近づけられる。その結果、動き量が大きいほど、１フレーム内の点灯期間の間隔が短くされる。動き量が小さいほど、消灯期間の長さがより均一にされる。
なお、本実施例では、動き量に応じて点灯期間の間隔を連続的に変化させる場合を示したが、これに限らない。例えば、動き量に応じて点灯期間の間隔を段階的に変化させてもよい。
【００４７】
動きの大きい入力画像信号が入力された場合に、上記方法でＢＬｄ（ｘ）とＢＬｐ（ｘ）を決定すると、ＢＬ駆動波形は図８（ｄ）と同様の波形となり、視聴者が知覚する輝度分布は図８（ｇ）と同様の分布となる。その結果、動きの大きい入力画像信号が入力された場合には、動きぼけと重像ぼけが重点的に低減される。具体的には、動き量が大きいと
きには、１フレーム内の点灯期間の長さの差が大きくされ、且つ、１フレーム内の点灯期間の間隔が小さくされるため、実施例１と同様に動きぼけと重像ぼけが低減される。
一方、動きの小さい入力画像信号が入力された場合に、上記方法でＢＬｄ（ｘ）とＢＬｐ（ｘ）を決定すると、ＢＬ駆動波形は図１７（ｄ）と同様の波形となり、視聴者が知覚する輝度分布は図１７（ｇ）と同様の分布となる。その結果、動きの小さい入力画像信号が入力された場合には、フリッカ妨害が重点的に抑制される。具体的には、動き量が小さいときには、点灯期間の長さがより均一にされるため、入力画像信号に基づく画像の１回の表示時間がより均一となり、フリッカ妨害をより低減することができる。また、動き量が小さいときには、消灯期間の長さがより均一にされるため、黒画像の１回の表示時間が均一となり、フリッカ妨害をより低減することができる。
【００４８】
ステップＳ２１０３の次に、動き適応パルス変調部２０２は、ステップＳ２１０２で算出したｎ個のＢＬｄ（ｘ）と、ステップＳ２１０３で算出したｎ個のＢＬｐ（ｘ）とを、バックライト制御部１０２へ出力する（ステップＳ２１０４）。
【００４９】
以上述べたように、本実施例によれば、フレーム間の画像の動き量を用いて点灯期間が設定される。それにより、入力画像信号に応じて、より適切にフリッカ妨害、動画ぼけ、重像ぼけを低減することが可能となる。
具体的には、画像の動き量が大きい場合には、フリッカ妨害よりも動きぼけや重像ぼけのほうが視聴者に妨害感を与える。画像の動き量が小さい場合には、動きぼけや重像ぼけよりもフリッカ妨害のほうが視聴者に妨害感を与える。本実施例では、上述したように、画像の動き量が大きい場合には、１フレーム内の点灯期間の長さの差が大きくされ、且つ、１フレーム内の点灯期間の間隔が小さくされるため、動きぼけや重像ぼけを重点的に低減することができる。また、画像の動き量が小さい場合には、点灯期間の長さがより均一にされ、且つ、消灯期間の長さがより均一にされるため、フリッカ妨害を重点的に低減することができる。
【００５０】
なお、本実施例では、動き量に基づいて、点灯期間の長さと、点灯期間の間隔とを決定する構成としたが、いずれか一方のみを動き量に基づいて決定してもよい。
なお、動き量はブロック毎に算出されてもよい。そして、ブロック毎に、そのブロックの動き量を用いて、該ブロックの光源の点灯期間が設定されてもよい。そのような構成とすることにより、より適切にフリッカ妨害、動画ぼけ、重像ぼけを低減することが可能となる。具体的には、ブロック毎に、そのブロックに表示される画像の特徴に合わせてフリッカ妨害、動画ぼけ、重像ぼけを低減することが可能となる。
【００５１】
＜実施例３＞
実施例１では、ＢＬ調光値ＢＬａの設定値に応じて点灯回数ｎが決定されるものとした。本実施例では、入力画像信号のフォーマット（具体的にはフレームレート）に基づいて点灯回数の数（点灯回数ｎ）を決定する場合について説明する。なお、実施例１と同様の構成等については、その説明を省略する。
【００５２】
本実施例に係る液晶表示装置は、入力画像信号のフレームレートが低い場合に、入力画像信号のフレームレートを２倍に高め、入力画像信号に基づく画像を表示する。具体的には、本実施例の表示制御部１０５は、入力画像信号のフレームレートが低い場合に、入力画像信号のフレームレートの２倍の駆動周波数で液晶パネルを駆動する。そのため、入力画像信号のフレームレートが低い場合には、入力画像信号の各フレームを２回続けて表示する動作が、入力画像信号のフレームレートの２倍の周波数で行われることとなる。例えば、入力画像信号のフレームレートが２４Ｈｚの場合、４８Ｈｚの駆動周波数で液晶パネルが駆動される。
また、本実施例に係る液晶表示装置は、入力画像信号のフレームレートが高い場合には
、フレームレートを変更せずに、入力画像信号に基づく画像を表示する。例えば、入力画像信号のフレームレートが６０Ｈｚの場合、６０Ｈｚの駆動周波数で液晶パネルが駆動される。
入力画像信号のフレームレートが高いか低いかは、例えば、入力画像信号のフレームレートと、所定のフレームレートとを比較することにより判断することができる。具体的には、入力画像信号のフレームレートが所定のフレームレート（例えば３０Ｈｚ）より低い場合に、入力画像信号のフレームレートが低いと判断することができる。そして、入力画像信号のフレームレートが所定のフレームレート以上の場合に、入力画像信号のフレームレートが高いと判断することができる。
なお、液晶表示装置はこのようなフレームレート変換機能を有していなくてもよい。
【００５３】
このような構成において、入力画像信号のフレームレートが低い場合、表示画像の切り替わりの頻度が少ないため、液晶素子の応答性の悪さが画面上に現れ難い（動画ぼけや重像ぼけが現れ難い）。一方、フリッカ妨害の妨害感は大きくなる。例えば、入力画像信号のフレームレートが２４Ｈｚである場合、液晶パネルの駆動周波数は４８Ｈｚであるが、各フレームが２回続けて表示されるため、表示画像は２４Ｈｚの周波数でしか切り替わらない。
そのため、そのような場合には、動画ぼけや重像ぼけを低減するよりも、フリッカ妨害を低減する方が重要である。
そこで、本実施例では、入力画像信号のフレームレートが低いときに、高いときよりもフリッカ妨害を優先して低減する。具体的には、入力画像信号のフレームレートが低いときに、高いときよりも１フレーム内の点灯期間の数を多くする。
【００５４】
以下、具体例について説明する。
本実施例では、パルス変調部１０１が、「液晶パネルの駆動周波数×ｎ≧フリッカ下限周波数」となるような点灯回数ｎを決定する。フリッカ下限周波数は、フリッカ妨害が視聴者に妨害感を与えるか否かを判定するための閾値であり、本実施例では主観評価にて決定された値であるとする。なお、上述したフレームレート変換処理を行わない場合、点灯回数ｎを算出するための上記式は、「入力画像信号のフレームレート×ｎ≧フリッカ下限周波数」と書くこともできる。
また、パルス変調部１０１は、入力画像信号のフレームレートが低いときに、消灯期間の長さ（１つ前の点灯期間の終了時刻から現点灯期間の開始時刻までの長さ）が均一となるように点灯期間を決定する。パルス変調部１０１は、表示制御部１０５から入力画像信号のフレームレートが低いか否かの判断結果を取得してもよいし、そのような判断を、表示制御部１０５で行われる判断とは別に行ってもよい。
【００５５】
以下に、入力画像信号、フレームレート、点灯回数ｎ、Ｇｔ、フリッカ下限周波数の関係の一例を示す。
入力画像信号    フレームレート    点灯回数    Ｇｔ    フリッカ下限周波数
画像信号１        ２４Ｈｚ          ４        ４            １５０
画像信号２        ６０Ｈｚ          ３        ４            １８０
このように、フレームレートが２４Ｈｚのときに、フレームレートが低いと判断して点灯回数を多くすることにより、フリッカ妨害を精度良く低減することができる。また、フレームレートが低いと判断した場合に、消灯期間の間隔を均一にしたことにより、フリッカ妨害を重点的に低減することができる。
また、フレームレートが６０Ｈｚのときに、フレームレートが高いと判断してＧｔ＞ｎとしたことにより、実施例１と同様に、動画ぼけ及び重像ぼけを重点的に低減することができる。
なお、画像信号１と画像信号２とでフリッカ下限周波数が異なるのは、画像信号１と画像信号２とで映像ソースが異なるためである。例えば、映像ソースがフィルムソースである場合と、ＴＶ系ソースである場合とでは、主観的に好ましいフリッカ感が異なる。
【００５６】
以上述べたように、本実施例によれば、入力画像信号のフレームレートが低いときに、高いときよりも１フレーム内の点灯期間の数が多くされる。それにより、入力画像信号のフレームレートが低いときに、高いときよりもフリッカ妨害を優先して低減することができる。
なお、フリッカ下限周波数の値は、上述した値に限らない。フリッカ下限周波数の値は目的等に応じて適宜設定すればよい。
なお、点灯回数ｎの決定方法は上記方法に限らない。例えば、フレームレート毎やフレームレートの範囲毎の点灯回数ｎを表すテーブルを予め用意し、そのテーブルを用いて点灯回数ｎが決定されてもよい。
【００５７】
＜実施例４＞
本実施例では、液晶パネルの駆動周波数に基づいて点灯回数の数（点灯回数ｎ）を決定する場合について説明する。なお、実施例１と同様の構成等については、その説明を省略する。
【００５８】
液晶パネルの駆動周波数が低い場合、表示画像の切り替わりの頻度が少ないため、液晶素子の応答性の悪さが画面上に現れ難い（動画ぼけや重像ぼけが現れ難い）。一方、フリッカ妨害の妨害感は大きくなる。
そのため、そのような場合には、動画ぼけや重像ぼけを低減するよりも、フリッカ妨害を低減する方が重要である。
そこで、本実施例では、液晶パネルの駆動周波数が低いときに、高いときよりもフリッカ妨害を優先して低減する。具体的には、液晶パネルの駆動周波数が低いときに、高いときよりも１フレーム内の点灯期間の数を多くする。
【００５９】
以下、具体例について説明する。
本実施例では、パルス変調部１０１が、「液晶パネルの駆動周波数×ｎ≧フリッカ下限周波数」となるような点灯回数ｎを決定する。
また、パルス変調部１０１は、液晶パネルの駆動周波数が低いときに、消灯期間の長さが均一となるように点灯期間を決定する。
液晶パネルの駆動周波数が低いか否かは、例えば、液晶パネルの駆動周波数と、所定の駆動周波数とを比較することにより判断することができる。具体的には、液晶パネルの駆動周波数が所定の周波数（例えば６０Ｈｚ）より低い場合に、液晶パネルの駆動周波数が低いと判断することができる。そして、液晶パネルの駆動周波数が所定の周波数以上の場合に、液晶パネルの駆動周波数が高いと判断することができる。
【００６０】
以下に、入力画像信号、液晶パネルの駆動周波数、点灯回数ｎ、Ｇｔ、フリッカ下限周波数の関係の一例を示す。
入力画像信号    駆動周波数    点灯回数    Ｇｔ    フリッカ下限周波数
画像信号１      ４８Ｈｚ          ４        ４            １５０
画像信号２      ５０Ｈｚ          ４        ４            １８０
画像信号３      ６０Ｈｚ          ３        ４            １８０
このように、駆動周波数が４８Ｈｚ、５０Ｈｚのときに、駆動周波数が低いと判断して点灯回数を多くすることにより、フリッカ妨害を精度良く低減することができる。また、駆動周波数が低いと判断した場合に、消灯期間の間隔を均一にしたことにより、フリッカ妨害を重点的に低減することができる。
また、駆動周波数が６０Ｈｚのときに、駆動周波数が高いと判断してＧｔ＞ｎとしたことにより、実施例１と同様に、動画ぼけ及び重像ぼけを重点的に低減することができる。
【００６１】
以上述べたように、本実施例によれば、表示パネルの駆動周波数が低いときに、高いときよりも１フレーム内の点灯期間の数が多くされる。それにより、表示パネルの駆動周波数が低いときに、高いときよりもフリッカ妨害を優先して低減することができる。
なお、点灯回数ｎの決定方法は上記方法に限らない。例えば、駆動周波数毎や駆動周波数の範囲毎の点灯回数ｎを表すテーブルを予め用意し、そのテーブルを用いて点灯回数ｎが決定されてもよい。
【符号の説明】
【００６２】
１０１  パルス変調部
１０２  バックライト制御部
１０３  バックライト
１０４  液晶パネル
【図１】
0005858847.tif 000003
【図２】
0005858847.tif 000004
【図３】
0005858847.tif 000005
【図４】
0005858847.tif 000006
【図５】
0005858847.tif 000007
【図６】
0005858847.tif 000008
【図７】
0005858847.tif 000009
【図８】
0005858847.tif 000010
【図９】
0005858847.tif 000011
【図１０】
0005858847.tif 000012
【図１１】
0005858847.tif 000013
【図１２】
0005858847.tif 000014
【図１３】
0005858847.tif 000015
【図１４】
0005858847.tif 000016
【図１５】
0005858847.tif 000017
【図１６】
0005858847.tif 000018
【図１７】
0005858847.tif 000019